(57)【要約】【課題】ノイズの抑制および静電気の侵入防止を図ることが出来るだけでなく、ノイズの抑制や静電気の侵入防止のための部品を削減してコスト削減や工数削減を図ることが出来る映像機器を提供する。【解決手段】導電性部材３１の基部３２の側面に設けられた板バネ部３５を映像表示部１１の一端部に当接させ、映像表示部１１が発する電磁波によって生じるノイズを制御回路基板１２上に設けられた接地部３８に導くことにより、ノイズを抑制し、また、箱部２２と蓋部２３の境界部Ｂに近接して垂直片３４を配し、境界部Ｂから侵入する静電気を制御回路基板１２上に設けられた接地部３８に導くことにより、映像表示部１１への静電気の侵入を防止する。【選択図】図６
2009217084.tif 000002
【特許請求の範囲】
【請求項１】
映像を表示する映像表示部と、
前記映像表示部に駆動制御信号を供給する制御回路基板と、
前記映像表示部と前記制御回路基板とを電気的に接続する配線基板と、
前記制御回路基板と前記配線基板を収容すると共に前記映像表示部の後面を覆う箱部と前記映像表示部の前面に配置されると共に前記箱部に固定される蓋部とにより構成された筐体と、
を備えた映像機器において、
前記映像表示部を前記制御回路基板上に設けられた接地部に接続し、前記映像表示部から生じるノイズを前記接地部へ導くことにより、ノイズを抑制するノイズ抑制手段と、前記箱部と前記蓋部の境界部から侵入する静電気を前記接地部へ導くことにより、前記映像表示部への静電気侵入を防止する静電気侵入防止手段とを兼備する導電性部材を設けたことを特徴とする映像機器。
【請求項２】
請求項１に記載の映像機器において、
前記導電性部材は、前記制御回路基板に固定される基部と、前記箱部と前記蓋部との境界部と対向する前記基部の側面に設けられた水平片と、該水平片の一端部から垂直方向に延び、前記境界部と近接する垂直片とを備えており、前記水平片は、前記配線基板を挿入する穴部を有していることを特徴とする映像機器。
【請求項３】
請求項２に記載の映像機器において、
前記水平片が設けられた面と反対側の前記基部の側面に、前記映像表示部を支持する板バネ部を設けたことを特徴とする映像機器。
【発明の詳細な説明】
【技術分野】
【０００１】
本発明は、映像を表示する映像機器に関するものであり、特に、持ち運びが容易な映像機器に関するものである。
【背景技術】
【０００２】
ＬＣＤ（Liquid Crystal  Display）や有機ＥＬ（Electroluminescence）ディスプレイ等のＦＰＤ（Flat Panel Display）は、薄型化が可能であるため、近年においては、テレビ受像機のみならず、携帯電話機やＰＤＡ（Personal  Digital  Assistant）、持ち運びが容易なポータブルテレビやカーナビゲーションシステム等にも用いられている。
【０００３】
ＦＤＰは、通常、柔軟性に富み、大きく変形させることが可能なＦＰＣ（Flexible Printed Circuits）によって、板状のＰＣＢ（Printed Circuit Board）と接続されている。ＰＣＢは、集積回路や抵抗器、コンデンサー等の電子部品を実装し、その部品間を接続して電子回路を構成する配線を形成しており、ＦＰＣによってＦＤＰとＰＣＢが接続されることにより、ＦＤＰ面上に映像を表示させることが出来る。
【０００４】
上述したポータブルテレビ等に代表される様な小型の映像機器においては、ＦＰＣによって接続されたＦＤＰとＰＣＢを収納するための筐体の容量が小さいため、該ＦＤＰとＰＣＢは互いに近接した状態で該筐体内部に収容されている。
【０００５】
この場合、ＦＤＰから生じるノイズにより、ＰＣＢに実装された上述の電子部品等に動作不良が発生する恐れがあり、該動作不良の一例としては、ポータブルテレビの場合における受信感度の悪化等が挙げられる。
そこで、従来においては、この問題を解決すべく、ＰＣＢ上にＧＮＤ（Grounding）コンタクト等のＧＮＤ強化部材を設け、ＦＤＰと接触させることにより、該ＦＤＰから生じるノイズをＧＮＤ強化部材を介して、ＰＣＢ上に別途設けられている接地部に導いていた。これにより、ＦＤＰの電位を安定させることが出来るため、ノイズの抑制を図ることが出来た。
【０００６】
また、上述した筐体は、ＰＣＢとＦＰＣを収納すると共にＦＤＰの後面を覆う箱部と、ＦＤＰの前面に配置されると共に箱部に固定される蓋部から構成されているため、この箱部と蓋部との境界において、わずかでも隙間がある場合は、この境界部より筐体内部に塵埃や静電気等が侵入する。
【０００７】
静電気が筐体内部に侵入した場合、該静電気の一部は、上述のＦＰＣを介してＦＤＰに侵入し、該ＦＤＰの電気系に障害をきたす恐れがある。
そこで、従来においては、この問題を解決すべく、静電気の侵入を防止する必要がある箇所に、ポリイミドをフィルム化した「カプトン（登録商標）テープ」等の電気絶縁性を有する静電気侵入防止部材を設けていた。これにより、ＦＤＰに対する静電気の侵入防止を図ることが出来た。
【０００８】
特許文献１には、熱放射に優れ、機械的強度が高く、バックライトの照射に対しても劣化せず、長寿命で安価な液晶表示装置が記載されている。
【０００９】
特許文献２には、フレキシブル基板を簡単に着脱可能に固定でき、また十分なノイズ対策を施した液晶表示装置が記載されている。
【００１０】
特許文献３には、液晶表示パネル部分とは別にその駆動回路として機能する駆動用ＩＣをフィルム基板上に設けた場合であっても、構成の複雑化を招くことなく、液晶表示パネルや駆動用ＩＣ等の温度上昇を有効に抑制して、温度上昇に起因する誤動作、画質劣化、信頼性低下等を防止することの出来る液晶表示装置が記載されている。
【００１１】
特許文献４には、画像表示パネルを収容するケースの側板に係合突起を設け、画像表示パネルに接合されケースの背面に沿って折り返されたフレキシブル配線基板をその係合突起により係止する構成とした画像表示モジュールが記載されている。
【００１２】
特許文献５には、固定枠体に液晶表示モジュールを簡単に取り付け、組立作業の簡易化を図れる液晶表示装置であって、該液晶表示装置の表面にタッチパネルを設けるときには、タッチパネルからのフレキシブル配線と、液晶表示パネル部からのフレキシブル配線とを同一方向から、装置自体の薄型化を可能とするように引き出せる液晶表示装置が記載されている。
【００１３】
特許文献６には、電子機器等のシャーシにケーブル等を実装するために用いるケーブル固定具であって、ケーブルの接地ラインをシャーシに簡便に導電接続し、ノイズ対策を行うことが出来るケーブル固定具が記載されている。
【００１４】
特許文献７には、安価に形成した金属シートを設けることによって、液晶プロジェクタの駆動回路ブロックと液晶パネルとを接続するフラットケーブルから放射される電磁波を遮蔽する電磁波遮蔽装置が記載されている。
【００１５】
特許文献８には、画像表示部の回動軸部における隙間に露出する側の部分が帯電性部材によって覆われている電子装置が記載されている。
【００１６】
【特許文献１】特開２００３−１４９６２９号公報
【特許文献２】特許第３６５００４４号公報
【特許文献３】特開２００６−０３０７２７号公報
【特許文献４】特開２００７−１２１５９４号公報
【特許文献５】特開２００１−１８３６３３号公報
【特許文献６】特開２００７−２７３８６４号公報
【特許文献７】特開平９−２３２７８５号公報
【特許文献８】特開２００７−１２８７０３号公報
【発明の開示】
【発明が解決しようとする課題】
【００１７】
上述したように、従来においては、ＦＤＰとＰＣＢとをＦＰＣによって接続し、筐体内に収納した映像機器、特に、筐体が小型である映像機器においては、映像表示部から生じるノイズを抑制するためのＧＮＤ強化部材と、筐体の箱部と蓋部との境界部から侵入する静電気を防止するための静電気侵入防止部材を設ける必要があるため、部品点数が多くなってコスト削減を図ることが出来ない。また、これにより、製品の組み立て時における工数が増加するため、作業の効率化も図ることが出来ない。
【００１８】
上記の特許文献１〜８に記載の種々の装置等についても、映像表示部から生じるノイズを抑制するためのＧＮＤ強化部材と、筐体の箱部と蓋部との境界部から侵入する静電気を防止するための静電気侵入防止部材を設ける必要があるため、上述した問題を解決することが出来ない。
【００１９】
本発明は、上述した問題点に鑑み、ノイズの抑制および静電気の侵入防止を図ることが出来るだけでなく、ノイズの抑制や静電気の侵入防止のための部品を削減してコスト削減や工数削減を図ることが出来る映像機器を提供することを目的としている。
【課題を解決するための手段】
【００２０】
本発明に係る映像機器は、映像を表示する映像表示部と、映像表示部に駆動制御信号を供給する制御回路基板と、映像表示部と制御回路基板とを電気的に接続する配線基板と、制御回路基板と配線基板を収容すると共に映像表示部の後面を覆う箱部と映像表示部の前面に配置されると共に箱部に固定される蓋部とにより構成された筐体とを備えており、映像表示部を制御回路基板上に設けられた接地部に接続し、映像表示部から生じるノイズを接地部へ導くことにより、ノイズを抑制するノイズ抑制手段と、箱部と蓋部の境界部から侵入する静電気を接地部へ導くことにより、映像表示部への静電気侵入を防止する静電気侵入防止手段とを兼備する導電性部材を設けている。
【００２１】
このようにすることで、映像表示部から生じるノイズと箱部と蓋部の境界部から侵入する静電気を同一の導電性部材により、制御回路基板上に設けられた接地部に導くことが出来るため、ノイズの抑制および静電気の侵入防止を図ることが出来るだけでなく、ノイズの抑制や静電気の侵入防止のための部品が１つで済むため、コスト削減や工数削減を図ることが出来る。
【００２２】
本発明の映像機器において、導電性部材は、制御回路基板に固定される基部と、箱部と蓋部との境界部と対向する基部の側面に設けられた水平片と、該水平片の一端部から垂直方向に延び、境界部と近接する垂直片とを備え、水平片が、配線基板を挿入する穴部を有してもよい。
【００２３】
このようにすることで、箱部と蓋部との境界部から侵入する静電気を垂直片から水平片および基部を介して、制御回路基板上に設けられた接地部に導くことが出来るため、静電気が配線基板を通って映像表示部へ侵入するのを防止することが出来る。
【００２４】
本発明の映像機器において、水平片が設けられた面と反対側の基部の側面に、映像表示部を支持する板バネ部を設けてもよい。
【００２５】
このようにすることで、板バネ部の弾性力によって、映像表示部と板バネ部を確実に当接させることが出来るため、映像表示部から生じるノイズを板バネ部から基部を介して、制御回路基板上に設けられた接地部に導くことができ、以って、ノイズの抑制を図ることが出来る。また、板バネ部により、映像表示部の寸法公差を吸収することが出来る。
【発明の効果】
【００２６】
本発明によれば、映像表示部から生じるノイズを抑制するノイズ抑制手段と、箱部と蓋部の境界部から侵入する静電気の映像表示部への侵入を防止する静電気侵入防止手段とを兼備する導電性部材を設けたことにより、ノイズの抑制および静電気の侵入防止を図ることが出来るだけでなく、ノイズの抑制や静電気の侵入防止のための部品を少なくしてコスト削減や工数削減を図ることが出来る。
【発明を実施するための最良の形態】
【００２７】
以下、本発明の実施形態につき、図面を参照しながら説明する。
【００２８】
図１は、本発明に係る映像機器の一実施形態であるポータブル液晶テレビ１００の外観図であり、図２は、ポータブル液晶テレビ１００の内部構造を示した図である。
【００２９】
図１中において、１１は、映像を表示する映像表示部であり、ＬＣＤ（Liquid Crystal Display）から成る。
【００３０】
２１は、ポータブル液晶テレビ１００の筐体である。筐体２１は、後述する電子部品を収容すると共に映像表示部１１の後面を覆う箱部２２と、映像表示部１１の前面に配置されると共に箱部２２に固定される蓋部２３によって構成されている。箱部２２および蓋部２３は、ＡＢＳ（Acrylonitrile Butadiene Styrene）樹脂等から成る。
【００３１】
破線で囲まれた２４は、ポータブル液晶テレビ１００を操作するための操作部であり、操作部２４は、押下することで液晶テレビ１００の操作が実行されるボタン構造となっている。
【００３２】
２５は、「携帯電話・移動体端末向けの１セグメント部分受信サービス」等のテレビ放送の電波を受信するためのアンテナである。
【００３３】
図２中において、１２は、映像表示部１１に駆動制御信号を供給する制御回路基板であり、集積回路や抵抗器、コンデンサー等の電子部品を実装し、該電子部品間を接続して電子回路を構成する配線を形成した板状のＰＣＢ（Printed Circuit Board）から成る。
【００３４】
１３は、映像表示部１１と制御回路基板１２とを電気的に接続する配線基板であり、柔軟性に富み、大きく変形させることが可能なＦＰＣ（Flexible printed circuits）から成る。
【００３５】
映像表示部１１と制御回路基板１２は、配線基板１３によって図３や図４に示すような状態で接続されている。また、制御回路基板１２および配線基板１３は、箱部２２の内部に収容され、映像表示部１１の後面は、箱部２２により覆われる。
【００３６】
図２中の矢印ＳＥは、箱部２２と蓋部２３（図１）の境界部Ｂから、人間の手（図示省略）等を介して、筐体２１（図１）内部に侵入する静電気を示している。静電気ＳＥは、筐体２１内部に侵入した後、配線基板１３を接続するために映像表示部１１に設けられた穴部１１ａから、配線基板１３を介して映像表示部１１内に侵入する場合がある。
【００３７】
従来においては、映像表示部１１に対する静電気ＳＥの侵入防止措置として、上述したカプトンテープ（図示省略）等を用いて、穴部１１ａを閉塞していたが、本発明においては、後述する導電性部材を用いて静電気対策を行う。
【００３８】
図５は、本発明の実施形態である導電性部材の一例を示した図である。
図中の３１は、導電性部材であり、３２は、導電性部材３１の基部である。基部３２は、底面を略した略直方体に形成されている。
【００３９】
３３は、箱部２２（図１）と蓋部２３（図２）との境界部Ｂ（図２）と対向する基部３２の側面に設けられた水平片であり、３４は、水平片３３の一端部から垂直方向に延び、箱部２２と蓋部２３との境界部Ｂに近接する垂直片である。
【００４０】
３５は、水平片３３が設けられた面と反対側の基部３２の側面に設けられた板バネ部であり、３６は、基部３２の底面側の四方およびその近傍に設けられた爪部である。
【００４１】
基部３２、水平片３３、垂直片３４および爪部３６は、静電気侵入防止手段の一例であり、基部３２、板バネ部３５、爪部３６は、ノイズ抑制手段の一例である。
【００４２】
本実施形態においては、基部３２、水平片３３、垂直片３４、板バネ部３５、爪部３６を、導電性部材から成る１枚の板金部材を加工して形成する。
【００４３】
上述した導電性部材３１の設置状態は、図６および図７で示される。
図６に示す様に、導電性部材３１は、制御回路基板１２に複数設けられた穴部１２ａに爪部３６を挿入することにより、制御回路基板１２に固定される。制御回路基板１２への固定に際しては、図中の３７に示されるような半田付け等が行われる。また、導電性部材３１は、制御回路基板１２上に固定されることにより、該制御回路基板１２上に設けられたＧＮＤ（Grounding）である接地部３８と電気的に接続される。
【００４４】
映像表示部１１の一端部は、導電性部材３１に設けられた板バネ部３５上に載置されており、板バネ部３５の弾性力によって垂直方向に支持される。これにより、映像表示部１１の一端部と板バネ部３５を確実に当接させることが出来るだけでなく、映像表示部１１の寸法公差を板バネ部３５によって吸収することが出来る。尚、板バネ部３５によって支持されない映像表示部１１の他端部（図示省略）は、蓋部２３（図１）の内側に複数設けられた引っ掛け部材（図示省略）によって支持される。
【００４５】
水平片３３の先端近傍には、配線基板１３を挿入する穴部３３ａが長手方向（図６で紙面に垂直な方向）に延びて設けられており、映像表示部１１と接続された配線基板１３は、該穴部３３ａを介して、制御回路基板１２と接続される。制御回路基板１２への接続に際しては、図中の３７に示されるような半田付け等が行われる。また、配線基板１３は、制御回路基板１２上に接続されることにより、該制御回路基板１２上に設けられた接地部３８と電気的に接続される。
【００４６】
板バネ部３５によって支持された映像表示部１１、爪部３６によって導電性部材３１が固定された制御回路基板１２、穴部３３ａを介して映像表示部１１と制御回路基板１２と接続された配線基板１３は、一体となって、箱部２２（図１）に収容される。尚、収容後において、図６に示すように垂直片３４の上下方向の略中心部に、境界部Ｂの最上端が位置するように、箱部２２の深さおよび／または垂直片３４の長さが予め設計されている。
【００４７】
このように、上述した実施形態においては、映像表示部１１と板バネ部３５が、板バネ部３５の弾性力によって当接しており、また、板バネ部３５を設けた導電性部材３１は、制御回路基板１２上に設けられた接地部３８と電気的に接続されているため、映像表示部１１が発する電磁波によって生じるノイズを導電性部材３１を介して接地部３８へ導くことができ、これによってノイズを抑制することが出来る。
【００４８】
また、 水平片３３に設けられた穴部３３ａに挿入された配線基板１３を介して、映像表示部１１と制御回路基板１２を接続し、映像表示部１１と制御回路基板１２上に設けられた接地部３８とを電気的に接続することによって、配線基板１３と境界部Ｂとの間に垂直片３４を配することが出来るため、境界部Ｂから筐体２１内部に侵入する静電気ＳＥ（図６）を垂直片３４、水平片３３、基部３２を介して接地部３８へ導くことが出来る。これにより、配線基板１３を介して映像表示部１１へ静電気ＳＥが侵入するのを防止することが出来る。
【００４９】
更に、上述したノイズの抑制および静電気の侵入防止は、１つの導電性部材３１によって実現することが可能であるため、部品点数を削減でき、以って、コスト削減および工数削減を図ることが出来る。
【００５０】
本発明では、以上述べた以外にも種々の実施形態を採用することができる。例えば、上記実施形態では、板バネ部３５の弾性力によって映像表示部１１と板バネ部３５を当接させることにより、基部３２を介して、映像表示部１１と接地部３８を電気的に接続したが、これに限られず、図８に示すように、板バネ部３５を廃し、基部３２上に直接映像表示部１１を当接させてもよい。
【００５１】
また、上記実施形態においては、導電性部材３１を図５に示す様な構造としたが、これに限られず、図９に示すような構造としてもよい。
【００５２】
また、上記実施形態では、映像表示部１１をＬＣＤとしたが、これに限られず、ＰＤＰや有機ＥＬを用いてもよい。
【００５３】
更に、上記実施形態においては、映像機器の一例として、ポータブル液晶テレビ１００を例に挙げたが、これに限られず、筐体２１内部において、配線基板１３と境界部Ｂとが隣接する可能性のある映像機器、例えば、携帯電話等でもよい。
【図面の簡単な説明】
【００５４】
【図１】本発明の実施形態であるポータブル液晶テレビの外観図である。
【図２】本発明の実施形態であるポータブル液晶テレビの内部構造を示した図である。
【図３】映像表示部と制御回路基板と配線基板の接続状態を示した図である。
【図４】映像表示部と制御回路基板と配線基板の接続状態を示した図である。
【図５】本発明の実施形態である導電性部材の一例を示した図である。
【図６】本発明の実施形態である導電性部材の設置状態を示した図である。
【図７】本発明の実施形態である導電性部材の設置状態を示した図である。
【図８】本発明の実施形態である導電性部材の他の構造を示した図である。
【図９】本発明の実施形態である導電性部材の他の構造を示した図である。
【符号の説明】
【００５５】
１１  映像表示部
１２  制御回路基板
１３  配線基板
２１  筐体
２２  箱部
２３  蓋部
３１  導電性部材
３２  基部
３３  水平片
３３ａ  穴部
３４  垂直片
３５  板バネ部
３８  接地部
１００  ポータブル液晶テレビ
【図１】
2009217084.tif 000003
【図２】
2009217084.tif 000004
【図３】
2009217084.tif 000005
【図４】
2009217084.tif 000006
【図５】
2009217084.tif 000007
【図６】
2009217084.tif 000008
【図７】
2009217084.tif 000009
【図８】
2009217084.tif 000010
【図９】
2009217084.tif 000011